(57)【要約】【課題】安全に注射針の針部を収納でき、収納後の予期しない針部の飛び出しを防ぐ針キャップを提供する。【解決手段】本発明の針キャップは、針先と針基を有する医療用針を側方より嵌着する。針キャップは内筒と外筒を備え、内筒および外筒には、針先および針基の少なくとも一部を収容するための開口部が形成されている。これにより、注射針組立体をキャップに挿入後キャップ外筒を可動させることにより、内筒の開口部が閉鎖され、注射針組立体が収納された状態となる。この状態では予期しない押圧がかかったとしても、キャップもしくは留置針が破壊されない程度の押圧であれば針部が飛び出すことはない。【選択図】  図３
2012205636.tif 000002
【特許請求の範囲】
【請求項１】
針先と針基を有する医療用針を側方より嵌着する針キャップであって、
前記針キャップは内筒と外筒を備え、
前記内筒および前記外筒には、前記針先および前記針基の少なくとも一部を収容するための開口部が形成されていることを特徴とする針キャップ。
【請求項２】
前記開口部は、前記内筒に形成された第１開口部と、前記外筒に形成された第２開口部を有し、前記内筒と前記外筒を相対移動させることで、前記第１開口部と前記第２開口部が連通した状態と、前記第１開口部と前記第２開口部が連通していない状態を切り替えることができる請求項１に記載の針キャップ。
【請求項３】
前記内筒および前記外筒には、前記第１開口部と前記第２開口部が連通していない状態において、前記内筒と前記外筒の相対移動を規制するロック機構が設けられている請求項２に記載の針キャップ。
【請求項４】
前記ロック機構は、前記内筒および前記外筒の一方に付設された突起部と、前記内筒および前記外筒の他方に付設された係合部を有する請求項３に記載の針キャップ。
【発明の詳細な説明】
【技術分野】
【０００１】
本発明は、針キャップに関する。
【背景技術】
【０００２】
医療用に用いられる注射針には、主に医療従事者が注射針取扱時に誤って自らの手指などに穿刺してしまうことを防ぐため、注射針使用前には針部に針キャップが装着されている。また使用後も針部に針キャップを装着させるのが一般的である。
【０００３】
針キャップとしては、一般に、円筒状で基端側から針部を装着するものが用いられる。しかし、このような針キャップでは針部への装着時に針キャップを持つ手指が針部へ向かっていく動きとなってしまうため、手指への誤穿刺を招きやすい。そこで、針部を側方から針キャップに装着し、誤穿刺を防止する針キャップが考案されている（例えば、特許文献１参照）。
【０００４】
しかしながら、特許文献１に記載の針キャップでは、押圧によって針キャップから針部が出入りするため、予期しない押圧によって針部が飛び出してしまう恐れがある。
【先行技術文献】
【特許文献】
【０００５】
【特許文献１】特開２００９−２８４９４８号公報
【発明の概要】
【発明が解決しようとする課題】
【０００６】
本発明は、上記の問題に鑑みてなされたものであり、安全に注射針の針部を収納でき、収納後の予期しない針部の飛び出しを防ぐ針キャップを提供することにある。
【課題を解決するための手段】
【０００７】
このような目的は、下記（１）〜（４）に記載の本発明により達成される。
（１）針先と針基を有する医療用針を側方より嵌着する針キャップであって、前記針キャップは内筒と外筒を備え、前記内筒および前記外筒には、前記針先および前記針基の少なくとも一部を収容するための開口部が形成されていることを特徴とする針キャップ。
（２）前記開口部は、前記内筒に形成された第１開口部と、前記外筒に形成された第２開口部を有し、前記内筒と前記外筒を相対移動させることで、前記第１開口部と前記第２開口部が連通した状態と、前記第１開口部と前記第２開口部が連通していない状態を切り替えることができる（１）に記載の針キャップ。
（３）前記内筒および前記外筒には、前記第１開口部と前記第２開口部が連通していない状態において、前記内筒と前記外筒の相対移動を規制するロック機構が設けられている（２）に記載の針キャップ。
（４）前記ロック機構は、前記内筒および前記外筒の一方に付設された突起部と、前記内筒および前記外筒の他方に付設された係合部を有する（３）に記載の針キャップ。
【発明の効果】
【０００８】
本発明は、注射針組立体をキャップに挿入後キャップ外筒を可動させることにより、内筒の開口部が閉鎖され、注射針組立体が収納された状態となる。この状態では予期しない押圧がかかったとしても、キャップもしくは留置針が破壊されない程度の押圧であれば針部が飛び出すことはない。また、針先に付着した感染性の物質が飛散することがないために操作者や操作者付近の人が二次感染する恐れがない。
【図面の簡単な説明】
【０００９】
【図１】第１の実施形態に係る針キャップの内筒の側面図（ａ）および正面図（ｂ）である。
【図２】第１の実施形態に係る針キャップの外筒の側面図（ａ）、正面図（ｂ）および断面図（ｃ）である。
【図３】第１の実施形態に係る針キャップの内筒と外筒を組み合わせた時の側面図（ａ）および正面図（ｂ）である。
【図４】第２の実施形態に係る針キャップの内筒の側面図（ａ）および正面図（ｂ）である。
【図５】第２の実施形態に係る針キャップの外筒の側面図（ａ）、正面図（ｂ）および断面図（ｃ）である。
【図６】第２の実施形態に係る針キャップの内筒と外筒を組み合わせた時の側面図（ａ）および正面図（ｂ）である。
【図７】第３の実施形態に係る針キャップの内筒の側面図（ａ）および正面図（ｂ）である。
【図８】第３の実施形態に係る針キャップの外筒の側面図（ａ）、正面図（ｂ）および断面図（ｃ）である。
【図９】第３の実施形態に係る針キャップの内筒と外筒を組み合わせた時の側面図（ａ）および正面図（ｂ）である。
【発明を実施するための形態】
【００１０】
以下、本発明の実施の形態について、図面を参照して説明する。なお、全ての図面において、同様な構成要素には同様の符号を付し、適宜説明を省略する。
【００１１】
（第１の実施形態）
図１は、第１の実施形態に係る針キャップの内筒の側面図（ａ）および正面図（ｂ）である。図２は、第１の実施形態に係る針キャップの外筒の側面図（ａ）、正面図（ｂ）および断面図（ｃ）である。なお、図２（ｃ）は図２（ｂ）におけるＡ−Ａ’線において白抜き矢印で示す方向から見た断面図である。図３は、第１の実施形態に係る針キャップの内筒と外筒及び湾曲針を組み合わせた時の側面図（ａ）および正面図（ｂ）である。
【００１２】
図１に示すように、本実施形態の針キャップ１００の内筒２００は、円筒形状であり、側面に開口部（第１開口部）を有する。第１開口部は、内筒孔正面部２２０と内筒スリット２３０からなる。また、内筒２００の基端側側面および先端側側面には内筒突起２４０を有している。
【００１３】
内筒２００の材料としては、例えば、ポリエチレン樹脂やポリプロピレン樹脂のようなポリオレフィン系樹脂、ポリエチレンテレフタレート（ＰＥＴ）のようなポリエステル系樹脂、ポリカーボネート、ポリウレタン、フッ素系樹脂などが挙げられるが、これに限定されるものではなく、いかなる材料を用いることもできる。
【００１４】
なお、内筒２００は、例えば可視光透過性を有していてもよい。これにより誤穿刺防止キャップを湾曲針ハブ４００に装着した時に、針部４１０をキャップ外部から確認することができる。
【００１５】
内筒２００の大きさは、嵌着する医療用針の大きさに応じて適宜設定されるが、例えば長さが３０ｍｍ〜５０ｍｍ程度、外径が３〜６ｍｍ程度であればよい。
【００１６】
図１に示すように、内筒２００の側面には第１開口部が形成されている。第１開口部は後に説明する第２開口部と連通しており、第１開口部と第２開口部を通って医療用針が針キャップ１００内部に収容される。第１開口部は、内筒孔正面部２２０と内筒スリット２３０からなる。
【００１７】
内筒孔正面部２２０は、第１開口部の基端側部分である。内筒孔正面部２２０は主に医療用針の湾曲針ハブ４００（図３参照）を通過させるために設けられる。したがって、その大きさは医療用針の湾曲針ハブ４００の大きさに応じて適宜調整される。
【００１８】
内筒スリット２３０は、第１開口部の先端側部分である。内筒スリット２３０は主に医療用針の針部４１０（図３参照）を通過させるために設けられる。したがって、その大きさは医療用針の針部４１０の大きさに応じて適宜調整される。特に内筒スリット２３０の幅は針部４１０の太さの１〜２倍程度であることが好ましい。これによりロックをかける時の内筒と外筒の相対回転角度の冗長度をあげることができる。なお、内筒孔正面部２２０の幅と内筒スリット２３０の幅は上記のように湾曲針ハブ４００および針部４１０の大きさに応じて調整すればよいが、これらが同じ大きさとなることを妨げない。
【００１９】
内筒２００は、基端側側面および先端側側面に内筒突起２４０を有している。内筒突起２４０は後に説明する外筒第２孔部３５０と係合し、内筒２００と外筒３００の相対移動を規制する。内筒突起２４０の大きさは、外筒第２孔部３５０と係合可能であればどのような大きさでもよい。
【００２０】
図２に示すように、本実施形態の針キャップ１００の外筒３００は、円筒形状であり、側面に開口部（第２開口部）を有する。第２開口部は、外筒第１孔正面部３２０と外筒第１孔正面拡張部３２５、外筒スリット３３０からなる。また、外筒３００の基端側側面および先端側側面には外筒第２孔部３５０を有している。
【００２１】
外筒３００の材料としては、上で挙げた内筒２００と同様の材料を用いることができる。外筒３００の材料と内筒２００の材料は同じものであってもよいし、異なるものであってもよい。
【００２２】
なお、外筒３００は、例えば可視光透過性を有していてもよい。これにより誤穿刺防止キャップを湾曲針ハブ４００に装着した時に、針部４１０をキャップ外部から確認することができる。
【００２３】
外筒３００の大きさは、嵌着する医療用針および外筒３００の大きさに応じて適宜設定されるが、例えば長さが３５ｍｍ〜６０ｍｍ程度、外径が６〜１０ｍｍ程度であればよい。
【００２４】
図２に示すように、外筒３００の側面には第２開口部が形成されている。第２開口部は、外筒第１孔正面部３２０と外筒第１孔正面拡張部３２５、外筒スリット３３０からなる。
【００２５】
外筒第１孔正面部３２０は、第２開口部の基端側部分である。外筒第１孔正面部３２０は主に医療用針の湾曲針ハブ４００を通過させるために設けられる。したがって、その大きさは医療用針の湾曲針ハブ４００の大きさに応じて適宜調整される。
【００２６】
外筒第１孔正面拡張部３２５は、外筒第１孔正面部３２０から外筒３００の周方向に延設される。外筒第１孔正面拡張部３２５は、内筒２００と外筒３００を相対移動させたときに、医療用針の湾曲針ハブ４００が収容される部分となる。したがって、その大きさは医療用針の湾曲針ハブ４００が収容可能であればよい。特に、その周方向の長さが針部４１０の太さより長いことが好ましい。これによりロックをかけた際の内筒スリット２３０と外筒スリット３３０は位置がずれるので、針部４１０が露出することを防ぐことができる。
【００２７】
外筒スリット３３０は、第２開口部の先端側部分である。外筒スリット３３０は主に医療用針の針部４１０を通過させるために設けられる。したがって、その大きさは医療用針の針部４１０の大きさに応じて適宜調整される。特に外筒スリット３３０の幅は針部４１０の太さの１〜２倍程度であることが好ましい。これによりロックをかける時の内筒と外筒の相対回転角度の冗長度をあげることができる。なお、外筒第１孔正面部３２０の幅と外筒スリット３３０の幅は上記のように湾曲針ハブ４００および針部４１０の大きさに応じて調整すればよいが、これらが同じ大きさとなることを妨げない。
【００２８】
外筒３００は、基端側側面および先端側側面に外筒第２孔部３５０を有している。外筒第２孔部３５０は内筒突起２４０と係合し、内筒２００と外筒３００の相対移動を規制する。外筒第２孔部３５０の大きさは、内筒突起２４０と係合可能であればどのような大きさでもよい。特に外筒第２孔部３５０の周方向の長さが、外筒第１孔正面拡張部３２５の周方向の長さと同等の長さであることが好ましい。これにより内筒突起２４０の突起の移動距離と湾曲針ハブ４００の移動距離が等しくなり、より安定なロックとなる。
【００２９】
次に本発明の針キャップ１００への医療用針の収容について説明する。
内筒２００と外筒３００は、内筒突起２４０と外筒第２孔部３５０を係合させることで相対移動可能に固定される。
【００３０】
外筒第２孔部３５０は、外筒第２孔テーパー部３６０と外筒第２孔嵌合部３７０を有する。内筒突起２４０が外筒第２孔テーパー部３６０と係合している状態を第１状態、内筒突起２４０が外筒第２孔嵌合部と係合している状態を第２状態とする。第１状態においては第１開口部と第２開口部が連通した状態となっている。したがって、医療用針を針キャップ１００の側面から嵌着させることができる。
【００３１】
次いで内筒２００に対して外筒３００を回転（相対移動）させ第２状態とする。外筒第２孔テーパー部３６０は、外筒第１孔拡張部３２５の延設方向に向かって幅が漸減している。そして、外筒第２孔テーパー部３６０の幅は、外筒第２孔嵌合部３７０との境界部分において、内筒突起２４０の大きさより小さいが、回転により内筒突起２４０が外筒第２孔テーパー部３６０から外筒第２孔嵌合部３７０へ移動可能な程度の大きさとなっている。これにより、内筒突起２４０を係合した外筒第２孔部３５０は、外筒第２孔テーパー部３６０により内筒を回転方向へ、外筒を逆方向へ動かすという内筒と外筒の相対回転はさせやすいが、内筒突起２４０が外筒第２孔テーパー部３６０を超え外筒第２孔嵌合部３７０へ嵌合すると、逆の相対回転は困難となる。これによりロックをかけることができる。
【００３２】
また、内筒２００の内筒孔正面部２２０と軸方向に対象の位置には内筒孔背面部２１０が、外筒３００の外筒第１孔正面部３２０と軸方向に対象の位置には外筒第１孔背面部３１０が形成されている。内筒孔背面部２１０および外筒孔背面部３１０を形成することにより、湾曲針ハブ４００をより安定して保持することができる。この場合、外筒第１孔正面拡張部３２５に対応するように外筒第１孔背面拡張部３１５が外筒第１孔背面部から延設されている。
【００３３】
また、内筒２００及び外筒３００の双方の両端、もしくはそのいずれか一方の両端は閉塞していることが好ましい。閉塞させることで、ロックをかけた時に針部４１０が露出しなくなり、針部４１０に付着した感染性物質の飛散を防止できる。
【００３４】
（第２の実施形態）
次に、本発明の第２の実施形態について説明する。
以下では、第２の実施形態について説明するが、第１の実施形態との相違点を中心に説明し、同様の事項についてはその説明を省略する。
【００３５】
図４は、第２の実施形態に係る針キャップの内筒の側面図（ａ）および正面図（ｂ）である。図５は、第２の実施形態に係る針キャップの外筒の側面図（ａ）、正面図（ｂ）および断面図（ｃ）である。なお、図５（ｃ）は図５（ｂ）におけるＢ−Ｂ’線において白抜き矢印で示す方向から見た断面図である。図６は、第２の実施形態に係る針キャップの内筒と外筒及び湾曲針を組み合わせた時の側面図（ａ）および正面図（ｂ）である。
【００３６】
第２の実施形態においては、図５に示すように、外筒３００の外筒第１孔背面部３１０と外筒第１孔背面拡張部３１５の間および外筒第１孔正面部３２０と外筒第１孔正面拡張部３２５の間に、それぞれ外筒第１爪部３８０を備えている。
【００３７】
外筒第１爪部３８０により、湾曲針ハブ４００が嵌合した内筒を回転方向へ、外筒を逆方向へ動かすという内筒と外筒の相対回転はさせやすいが、湾曲針ハブ４００が外筒第１爪部３８０を超え外筒第１孔背面拡張部３１５及び外筒第１孔正面拡張部３２５に嵌合すると、逆の相対回転は困難となる。これによりロックをかけることができる。
【００３８】
（第３の実施形態）
次に、本発明の第３の実施形態について説明する。
以下では、第３の実施形態について説明するが、第１の実施形態との相違点を中心に説明し、同様の事項についてはその説明を省略する。
【００３９】
図７は、第３の実施形態に係る針キャップの内筒の側面図（ａ）および正面図（ｂ）である。図８は、第３の実施形態に係る針キャップの外筒の側面図（ａ）、正面図（ｂ）および断面図（ｃ）である。なお、図８（ｃ）は図８（ｂ）におけるＣ−Ｃ’線において白抜き矢印で示す方向から見た断面図である。図９は、第３の実施形態に係る針キャップの内筒と外筒及び湾曲針を組み合わせた時の側面図（ａ）および正面図（ｂ）である。
【００４０】
第３の実施形態においては、図８に示すように、内筒２００の側面に内筒爪穴２６０を有している。また、外筒内側面に外筒第２爪部３９０を有している。
【００４１】
外筒第２爪部３９０により、内筒２００を外筒３００に対して相対移動させることでロックがかかる。このとき、外筒第２爪部３９０を湾曲針ハブ４００が内筒端部でロックがかかる。このとき外筒第２爪部３９０を、針部４１０が外筒第１孔背面部３１０及び外筒第１孔正面部３２０の下端まで移動したときの内筒端部位置に設けることにより、針部４１０を露出させることなくロックをかけることができる。
【００４２】
外筒第２爪部３９０はロックしたときに内筒端部に係合する位置に備えてあるが、必ずしもその位置に設ける必要はない。内筒に別途、外筒第２爪部３９０が嵌合する穴を設け、それに対応する外筒内側位置に外筒第２爪部３９０を設けることでロックをさせても良い。
【００４３】
また、内筒爪穴２６０は内筒の外周を、外筒第２爪部３９０は外筒の内周を一周する円形状でもよい。円状であれば、ロックをした時の内筒端部と外筒第２爪部３９０の接する面積が増え、ロックはより安定なものとなる。
【００４４】
以上、図面を参照して本発明の実施形態について述べたが、これらは本発明の例示であり、上記以外の様々な構成を採用することもできる。
【符号の説明】
【００４５】
１００  針キャップ
２００  内筒
２１０  内筒孔背面部
２２０  内筒孔正面部
２３０  内筒スリット
２４０  内筒突起
２５０  内筒孔側面部
２６０  内筒爪穴
３００  外筒
３１０  外筒第１孔背面部
３１５  外筒第１孔背面拡張部
３２０  外筒第１孔正面部
３２５  外筒第１孔正面拡張部
３３０  外筒スリット
３４０  外筒第１孔側面部
３５０  外筒第２孔部
３６０  外筒第２孔テーパー部
３７０  外筒第２孔嵌合部
３８０  外筒第１爪部
３９０  外筒第２爪部
４００  湾曲針ハブ
４１０  針部
４２０  チューブ
【図１】
2012205636.tif 000003
【図２】
2012205636.tif 000004
【図３】
2012205636.tif 000005
【図４】
2012205636.tif 000006
【図５】
2012205636.tif 000007
【図６】
2012205636.tif 000008
【図７】
2012205636.tif 000009
【図８】
2012205636.tif 000010
【図９】
2012205636.tif 000011